(57)【特許請求の範囲】
【請求項１】
露光原版にペリクルを貼り付けるためのペリクル用粘着剤であって、エーテル結合を有する（メタ）アクリル酸エステルを単量体成分とするアクリル系重合体を母材とし、
前記エーテル結合を有する（メタ）アクリル酸エステルが、アルキレンオキサイド基を有する（メタ）アクリル酸エステルであり、全単量体成分に対して３０質量％以上含まれるペリクル用粘着剤。
【請求項２】
前記アルキレンオキサイド基が、エチレンオキサイド基である請求項１記載のペリクル用粘着剤。
【請求項３】
前記単量体成分として、さらにカルボキシル基又はヒドロキシル基を有する不飽和モノマーを含む請求項１又は２記載のペリクル用粘着剤。
【請求項４】
前記単量体成分として、さらに（メタ）アクリル酸アルキルエステルを含む請求項１〜３いずれか一項記載のペリクル用粘着剤。
【請求項５】
ペリクルフレームと、該ペリクルフレームの一方の端面に設けられた請求項１〜４いずれか一項記載のペリクル用粘着剤から得られる粘着剤層と、を有する粘着剤層付ペリクルフレーム。
【請求項６】
ペリクル膜と、該ペリクル膜が一方の端面に設けられたペリクルフレームと、該ペリクルフレームの他方の端面に設けられた請求項１〜４いずれか一項記載のペリクル用粘着剤から得られる粘着剤層と、を有するペリクル。
【請求項７】
露光原版に請求項６記載のペリクルが装着されているペリクル付露光原版。
【請求項８】
請求項７記載のペリクル付露光原版によって露光する工程を備える半導体装置の製造方法。
【請求項９】
請求項７記載のペリクル付露光原版によって露光する工程を備える液晶表示板の製造方法。
【発明の詳細な説明】
【技術分野】
【０００１】
本発明は、ペリクル用粘着剤、ペリクル、ペリクル付露光原版、半導体装置の製造方法、液晶表示板の製造方法、露光原版の再生方法及び剥離残渣低減方法に関する。
【背景技術】
【０００２】
ＬＳＩ、超ＬＳＩなどの半導体装置又は液晶表示板などの製造においては、半導体ウエハ又は液晶用原版に光を照射してパターンを作製するが、この場合に用いる露光原版にゴミが付着していると、このゴミが光を吸収したり、光を曲げてしまうために、転写したパターンが変形したり、エッジががさついたものとなるほか、下地が黒く汚れたりして、寸法、品質、外観などが損なわれるという問題があった。なお、本発明において、「露光原版」とは、リソグラフィ用マスク及びレチクルの総称である。【０００３】
これらの作業は通常クリーンルームで行われているが、このクリーンルーム内でも露光原版を常に清浄に保つことが難しいので、露光原版の表面にゴミ除けのために、露光用の光をよく通過させるペリクルを貼着する方法が取られている。
この場合、ゴミは露光原版の表面上には直接付着せず、ペリクル膜上に付着するため、リソグラフィ時に焦点を露光原版のパターン上に合わせておけば、ペリクル膜上のゴミは転写に無関係となる。【０００４】
ペリクルの基本的な構成は、ペリクルフレーム及びこれに張設したペリクル膜からなる。ペリクル膜は、露光に用いる光（ｇ線、ｉ線、２４８ｎｍ、１９３ｎｍ、１５７ｎｍ等）をよく透過させるニトロセルロース、酢酸セルロース、フッ素系ポリマーなどからなる。ペリクルフレームは、黒色アルマイト処理等を施したＡ７０７５、Ａ６０６１、Ａ５０５２などのアルミニウム合金、ステンレス、ポリエチレンなどからなる。ペリクルフレームの上部にペリクル膜の良溶媒を塗布し、ペリクル膜を風乾して接着するか、アクリル樹脂、エポキシ樹脂、フッ素樹脂等の接着剤で接着する。さらに、ペリクルフレームの下部には露光原版が装着されるために、ポリブテン樹脂、ポリ酢酸ビニル樹脂、アクリル樹脂、シリコーン樹脂等から得られる粘着剤層、及び粘着剤層の保護を目的とした保護用ライナーを設ける。【０００５】
ペリクルは、露光原版の表面に形成されたパターン領域を囲むように設置される。ペリクルは、露光原版上にゴミが付着することを防止するために設けられるものであるから、このパターン領域とペリクル外部とはペリクル外部の塵埃がパターン面に付着しないように隔離されている。【０００６】
近年、ＬＳＩのデザインルールはサブクオーターミクロンへと微細化が進んでおり、それに伴い、露光光源の短波長化が進んでいる、即ち、これまで主流であった、水銀ランプによるｇ線（４３６ｎｍ）、ｉ線（３６５ｎｍ）から、ＫｒＦエキシマレーザー（２４８ｎｍ）、ＡｒＦエキシマレーザー（１９３ｎｍ）、Ｆ２レーザー（１５７ｎｍ）などに移行しつつある。微細化が進んだ結果、ペリクルを貼り付けたマスク基板パターン面に発生する可能性がある異物やヘイズ（Ｈａｚｅ）の許容される大きさがどんどん厳しくなってきている。
【先行技術文献】
【特許文献】
【０００７】
【特許文献１】特許第５６３８６９３号公報
【特許文献２】特開２０１６−１８００８号公報
【特許文献３】特開２００６−１４６０８５号公報
【特許文献４】特開２００８−２１１８２号公報
【発明の概要】
【発明が解決しようとする課題】
【０００８】
近年使用されているマスク基板の膜は、デザインルールの微細化に対応するため位相シフト膜が一般的に採用されるようになってきている。しかし、位相シフト膜は非常にデリケートで、過度な条件でのマスク洗浄で位相シフト膜に腐食や削れなどのダメージを受けてしまう可能性があり、そのため近年マスク洗浄に使用する薬液を再検討したり、洗浄条件を弱くしたりする傾向がある。【０００９】
さらに、先端品のマスクではこれまで主流だったポジタイプ（positive type）のマスクパターンからネガタイプ（negative type）のマスクパターンに推移してきており、これに伴いペリクルを貼り付けた部分に遮光層が無い状況が多々ある。遮光層が無いとペリクル粘着剤に露光光線がマスク基板越しに照射されてしまう可能性がある。そうすると、ペリクルを剥離した際にマスク基板上に粘着剤層の残渣がより多く残る恐れがある。【００１０】
ペリクルはマスクに貼り付けて使用される際、異物やヘイズが発生したり、ペリクル膜にダメージを受けたりした場合、該ペリクルを剥離してマスクを再生洗浄し、新しいペリクルに貼り換える必要がある（これを以後、「リペリクル」と呼ぶ）。リペリクルで最も重要になるのが、マスクを清浄度の高い状態になるように再生洗浄することであるが、近年の弱い洗浄条件でマスクの再生洗浄を実施するためには、ペリクルを剥離した際にマスク基板上に残る残渣をいかに少なくするかが重要である。
この再生洗浄は一般的に硫酸過水、アンモニア過水等の薬剤による洗浄や、ブラシ、スポンジ等の物理的な洗浄が使用されている。しかしながら、フォトマスクへのダメージや硫酸イオンのフォトマスクへの残存を抑制するために、機能水による再生洗浄が検討されている。【００１１】
機能水とは、一般的に、人為的な処理によって再現性のある有用な機能を付与された水溶液の中で、処理と機能に関して科学的根拠が明らかにされたもの、及び明らかにされようとしているもの、と定義されている。具体的には、オゾン水、水素水、マイクロバブル水、ナノバブル水等のファインバブル水、電解水、超臨界水、亜臨界水などが挙げられ、フォトマスクを洗浄するためにはオゾン水及び水素水が多く使用されている。また、少量のアンモニアを添加することにより洗浄力を向上させることができる。【００１２】
しかしながら、機能水は硫酸過水等の薬剤と比較して洗浄力が弱いため、ペリクル剥離後のフォトマスクの再生洗浄では、ペリクルとフォトマスクを固定していた粘着剤層の残渣が機能水洗浄だけでは除去しにくいという知見を本発明者らは得た。特に位相シフトフォトマスクでは位相シフト膜へのダメージが透過率や位相差の変化に繋がるため、機能水洗浄に加えて物理的な洗浄を追加することも困難である。【００１３】
また、ペリクルフレームの上端面にペリクル膜貼り付け用接着剤層を介してペリクル膜を張設し、他端面にマスク貼着用粘着剤層を設けたリソグラフィ用ペリクルで、ＡｒＦエキシマレーザー（１９３ｎｍ）などの露光光線を用いてリソグラフィを行うと、ペリクルフレームの下端面に形成した粘着剤層が露光光線によって変質し、露光原版から剥離する際に、露光原版上に粘着剤層の変質した部分が剥離残渣となって多く残ることも問題である。【００１４】
これまでに残渣を低減する技術として、粘着剤中に表面改質剤等を添加するといった試み（前記特許文献１、前記特許文献２）がなされている。また、残渣を低減する技術として、凝集破断強度が２０ｇ／ｍｍ２以上である粘着剤層を有する大型ペリクル（前記特許文献３）、剥離強度と引張強度の比が、０．１０以上で０．３３以下であるペリクル用粘着剤を備えるペリクルが開示されている（前記特許文献４）。【００１５】
本発明はこのような状況に鑑みてなされたものであり、リソグラフィ使用後、特にＡｒＦリソグラフィ使用後の露光原版からペリクルを剥離した際に、該露光原版上にこびりつく残渣を少なくすることができるペリクル用粘着剤、ペリクル、ペリクル付露光原版、露光原版の再生方法及び剥離残渣低減方法を提供することを目的とする。これにより、生産効率を向上させることができる半導体装置及び液晶表示板の製造方法を提供することを目的とする。
【課題を解決するための手段】
【００１６】
本発明の上記課題は、以下の手段によって解決された。
［１］露光原版にペリクルを貼り付けるためのペリクル用粘着剤であって、
ＳＰ値が１０．０以上１２．０以下であるアクリル系重合体を母材とするペリクル用粘着剤。
［２］露光原版にペリクルを貼り付けるためのペリクル用粘着剤であって、
エーテル結合を有する（メタ）アクリル酸エステルを単量体成分とするアクリル系重合体を母材とするペリクル用粘着剤。
［３］エーテル結合を有する（メタ）アクリル酸エステルが、アルキレンオキサイド基を有する（メタ）アクリル酸エステルである前記［２］記載のペリクル用粘着剤。
［４］エーテル結合を有する（メタ）アクリル酸エステルが、全単量体成分に対して３０質量％以上含まれる前記［３］記載のペリクル用粘着剤。
［５］アルキレンオキサイド基が、エチレンオキサイド基である前記［３］又は［４］記載のペリクル用粘着剤。
［６］単量体成分として、さらにカルボキシル基又はヒドロキシル基を有する不飽和モノマーを含む前記［２］〜［５］のいずれかに記載のペリクル用粘着剤。
［７］単量体成分として、さらに（メタ）アクリル酸アルキルエステルを含む前記［２］〜［６］のいずれかに記載のペリクル用粘着剤。
［８］露光原版にペリクルを貼り付けるためのペリクル用粘着剤であって、
エーテル結合を含む側鎖を有するアクリル系重合体を母材とするペリクル用粘着剤。
［９］エーテル結合を含む側鎖が、アルキレンオキサイド基を有する前記［８］記載のペリクル用粘着剤。
［１０］アルキレンオキサイド基が、エチレンオキサイド基である前記［９］記載のペリクル用粘着剤。
［１１］露光原版にペリクルを貼り付けるためのペリクル用粘着剤であって、露光光線の照射による分解性が主鎖よりも高い側鎖を有するアクリル系重合体を母材とするペリクル用粘着剤。
［１２］露光原版にペリクルを貼り付けるためのペリクル用粘着剤であって、露光光線の照射により選択的に劣化する側鎖を有するアクリル系重合体を母材とするペリクル用粘着剤。
［１３］ペリクルフレームと、該ペリクルフレームの一方の端面に設けられた前記［１］〜［１２］のいずれかに記載のペリクル用粘着剤から得られる粘着剤層と、を有する粘着剤層付ペリクルフレーム。
［１４］ペリクル膜と、該ペリクル膜が一方の端面に設けられたペリクルフレームと、該ペリクルフレームの他方の端面に設けられた前記［１］〜［１２］のいずれかに記載のペリクル用粘着剤から得られる粘着剤層と、を有するペリクル。
［１５］粘着剤層が露光光線に照射される前記［１４］記載のペリクル。
［１６］位相シフトフォトマスクに貼り付けられる前記［１４］記載のペリクル。
［１７］ネガタイプの露光原版に貼り付けられる前記［１４］記載のペリクル。
［１８］露光原版における粘着剤層の貼り付け部分に遮光されていない領域又は半透明遮光領域を有する露光原版に貼り付けられる前記［１４］記載のペリクル。
［１９］露光原版における粘着剤層の貼り付け部分に透明領域を有する露光原版に貼り付けられる前記［１４］記載のペリクル。
［２０］酸化ケイ素を主成分とする面に貼り付けられる前記［１４］記載のペリクル。
［２１］酸化ケイ素を主成分とする面が石英面である前記［２０］記載のペリクル。
［２２］機能水による再生洗浄に対応した前記［１４］記載のペリクル。
［２３］露光原版に前記［１４］又は［１５］記載のペリクルが装着されているペリクル付露光原版。
［２４］露光原版が位相シフトフォトマスクである前記［２３］記載のペリクル付露光原版。
［２５］露光原版がネガタイプである前記［２３］記載のペリクル付露光原版。
［２６］露光原版の粘着剤層の貼り付け部分が遮光されていない領域又は半透明遮光領域を有する前記［２３］記載のペリクル付露光原版。
［２７］露光原版の粘着剤層の貼り付け部分が透明領域を有する前記［２３］記載のペリクル付露光原版。
［２８］露光原版が酸化ケイ素を主成分とする前記［２３］記載のペリクル付露光原版。
［２９］露光原版が石英基板である前記［２３］記載のペリクル付露光原版。
［３０］前記［２３］〜［２９］のいずれかに記載のペリクル付露光原版によって露光する工程を備える半導体装置の製造方法。
［３１］前記［２３］〜［２９］のいずれかに記載のペリクル付露光原版によって露光する工程を備える液晶表示板の製造方法。
［３２］前記［２３］〜［２９］のいずれかに記載のペリクル付露光原版からペリクルを剥離し、機能水により露光原版に残った粘着剤の残渣を洗浄することにより露光原版を再生する露光原版の再生方法。
［３３］ペリクルを貼り付けた露光原版からペリクルを剥離した際の、露光原版上に残る前記ペリクルの粘着剤層の剥離残渣低減方法であって、前記ペリクルとして前記［１４］〜［２２］のいずれかに記載のペリクルを用いる、剥離残渣低減方法。
［３４］ペリクル膜と、該ペリクル膜が一方の端面に設けられたペリクルフレームと、該ペリクルフレームの他方の端面に設けられた前記ペリクル用粘着剤から得られる粘着剤層と、を有するペリクルの応用であって、粘着剤層が露光光線に照射されるペリクルの応用。
［３５］ペリクル膜と、該ペリクル膜が一方の端面に設けられたペリクルフレームと、該ペリクルフレームの他方の端面に設けられた前記ペリクル用粘着剤から得られる粘着剤層と、を有するペリクルの応用であって、位相シフトフォトマスクに貼り付けられるペリクルの応用。
［３６］ペリクル膜と、該ペリクル膜が一方の端面に設けられたペリクルフレームと、該ペリクルフレームの他方の端面に設けられた前記ペリクル用粘着剤から得られる粘着剤層と、を有するペリクルの応用であって、ネガタイプの露光原版に貼り付けられるペリクルの応用。
［３７］ペリクル膜と、該ペリクル膜が一方の端面に設けられたペリクルフレームと、該ペリクルフレームの他方の端面に設けられた前記ペリクル用粘着剤から得られる粘着剤層と、を有するペリクルの応用であって、露光原版における粘着剤層の貼り付け部分に遮光されていない領域又は半透明遮光領域を有する露光原版に貼り付けられるペリクルの応用。
［３８］ペリクル膜と、該ペリクル膜が一方の端面に設けられたペリクルフレームと、該ペリクルフレームの他方の端面に設けられた前記ペリクル用粘着剤から得られる粘着剤層と、を有するペリクルの応用であって、露光原版における粘着剤層の貼り付け部分に透明領域を有する露光原版に貼り付けられるペリクルの応用。
［３９］ペリクル膜と、該ペリクル膜が一方の端面に設けられたペリクルフレームと、該ペリクルフレームの他方の端面に設けられた前記ペリクル用粘着剤から得られる粘着剤層と、を有するペリクルの応用であって、酸化ケイ素を主成分とする面（特に石英面）に貼り付けられるペリクルの応用。
［４０］ペリクル膜と、該ペリクル膜が一方の端面に設けられたペリクルフレームと、該ペリクルフレームの他方の端面に設けられた前記ペリクル用粘着剤から得られる粘着剤層と、を有するペリクルの応用であって、機能水による再生洗浄に対応したペリクルの応用。
［４１］ペリクル膜と、該ペリクル膜がその一方の端面に貼り付けられたペリクルフレームと、該ペリクルフレームの他方の端面に設けられたペリクルを露光原版に貼り付けるための粘着剤層とを含んで構成される剥離残渣低減ペリクルであって、前記粘着剤層が、ＳＰ値１０．０以上１２．０以下であるアクリル樹脂を母材とすることを特徴とする剥離残渣低減ペリクル。  
［４２］前記粘着剤層は、さらにポリビニルエーテル化合物を含有する、前記［４１］記載の剥離残渣低減ペリクル。
［４３］前記剥離残渣低減ペリクルが、ＡｒＦリソグラフィ用の剥離残渣低減ペリクルである、前記［４１］又は［４２］記載の剥離残渣低減ペリクル。
［４４］ペリクルを露光原版に貼り付けるための粘着剤を選定し、ペリクルフレームの一方の端面に当該粘着剤を塗布して粘着剤層を作り、これに保護部材を剥離可能に貼着し、ペリクルフレームの他方の端面に接着剤を塗布し、これにペリクル膜を貼り付ける、剥離残渣低減ペリクルの製造方法であって、
前記粘着剤の選定において、ＳＰ値１０．０以上１２．０以下であるアクリル樹脂を母材とするものを選択することを特徴とする、剥離残渣低減ペリクルの製造方法。
［４５］前記粘着剤層は、さらにポリビニルエーテル化合物を含有する、前記［４４］記載の剥離残渣低減ペリクルの製造方法。
［４６］ペリクルを貼り付けた露光原版からペリクルを剥離した際に、露光原版上に残る前記ペリクルの粘着剤層の剥離残渣を低減する方法であって、
前記ペリクルとして、前記［４１］〜［４３］のいずれかに記載のペリクルを用いることを特徴とする方法。
【発明の効果】
【００１７】
本発明によれば、リソグラフィ使用後、特にＡｒＦリソグラフィ使用後の露光原版からペリクルを剥離した際、該露光原版上に残る該ペリクルの粘着剤層の剥離残渣を少なくすることができるペリクル、ペリクル付露光原版、露光原版の再生方法及び剥離残渣低減方法を提供することができる。本発明のペリクル、ペリクル付露光原版、露光原版の再生方法及び剥離残渣低減方法は、露光光線が露光原版越しに照射されても、該ペリクルを露光原版から剥離する際に粘着剤の剥離残渣がきわめて少ない状態で剥離することができる。その結果、ペリクルを剥離した露光原版の再生洗浄を良好に進行させることができ、さらには洗浄条件を緩和することが可能になるため、洗浄時の露光原版表面へのダメージ低減の点においても優位性がある。また、半導体装置及び液晶表示板の製造において生産効率を向上することができる。
本発明のペリクルは、粘着剤の母材として、特定のアクリル系重合体（アクリル樹脂ともいう）を用いたことにより、粘着剤内部の分子間力が向上し、かつ適正な粘着力を保つことができ、露光原版からの剥離時に大きな残渣はもとより、粒子状の残渣も減少したものと推測される。
【図面の簡単な説明】
【００１８】
【図１】本発明のペリクルの基本的構成を示す概念図である。
【発明を実施するための形態】
【００１９】
本発明のペリクルの基本的構成を、まず図１を参照しながら説明する。
【００２０】
図１に示したように、本発明のペリクル１０は、ペリクルフレーム１１の上端面にペリクル膜貼り付け用接着剤層１３を介してペリクル膜１２を張設したもので、この場合、ペリクル１０を露光原版（マスク基板又はレチクル）１に粘着させるための粘着剤層１４が通常ペリクルフレーム１１の下端面に形成され、該粘着剤層１４の下端面にライナー（不図示）を剥離可能に貼着してなるものである。また、ペリクルフレーム１１に気圧調整用穴（通気口）１５が設置されていてもよく、さらにパーティクル除去の目的で除塵用フィルター１６が設けられていてもよい。
【００２１】
この場合、これらペリクル構成部材の大きさは、通常のペリクル、例えば半導体リソグラフィ用ペリクル、大型液晶表示板製造リソグラフィ工程用ペリクル等と同様であり、また、その材質も上述したような公知の材質とすることができる。
【００２２】
ペリクル膜１２の種類については特に制限はなく、例えば、従来エキシマレーザー用に使用されている、非晶質フッ素ポリマー等が用いられる。非晶質フッ素ポリマーの例としては、サイトップ（旭硝子社製商品名）、テフロン（登録商標）ＡＦ（デュポン社製商品名）等が挙げられる。これらのポリマーは、そのペリクル膜作製時に必要に応じて溶媒に溶解して使用してもよく、例えば、フッ素系溶媒などで適宜溶解することができる。
【００２３】
ペリクルフレーム１１の母材に関しては、例えば、従来使用されているアルミニウム合金材、好ましくは、ＪＩＳ  Ａ７０７５、ＪＩＳ  Ａ６０６１、ＪＩＳ  Ａ５０５２材等が用いられるが、アルミニウム合金材を使用する場合は、ペリクルフレームとしての強度が確保される限り特に制限はない。ペリクルフレーム表面は、サンドブラストや化学研磨によって粗化することが好ましく、粗化後にポリマー被膜を設けてもよい。本発明において、このフレーム表面の粗化の方法は、従来公知の方法を採用できる。アルミニウム合金材に対して、ステンレス、カーボランダム、ガラスビーズ等によって表面をブラスト処理し、さらにＮａＯＨ等によって化学研磨を行って表面を粗化する方法が好ましい。
【００２４】
ところで、本発明者らは、本発明の前記課題を解決するために多くの考察と実験とを重ね、特に粘着剤層を形成する粘着剤の特徴に着目し、実験結果を比較分析したところ、以下の手段が有効であることを知見した。
すなわち、本発明のペリクル用粘着剤の第一の側面は、ＳＰ値が１０．０以上１２．０以下であるアクリル系重合体を母材とすることである。アクリル系重合体のＳＰ値を１０．０以上１２．０以下にすることで、露光原版からペリクルを剥離した際、該露光原版上に残る粘着剤層の剥離残渣を少なくすることができる。ＳＰ値が１０．０以上であることにより、洗浄で除去しにくい残渣を少なくすることができる。一方、ＳＰ値が１２．０以下であることにより、粘着剤の揮発性を低くすることができヘイズの抑制につながる。ＳＰ値を特定範囲とすることによりアクリル系重合体の親水性を向上させたことにより本発明の効果が得られるのではないかと本発明者らは推察する。
【００２５】
また、本発明のペリクル用粘着剤の第二の側面は、エーテル結合を有する（メタ）アクリル酸エステルを単量体成分とするアクリル系重合体を母材とすることである。アクリル系重合体の単量体成分としてエーテル結合を有する（メタ）アクリル酸エステルを含有させることで、露光原版からペリクルを剥離した際、該露光原版上に残る粘着剤層の剥離残渣を少なくすることができる。アクリル系重合体へのエーテル結合の導入により、アクリル系重合体の親水性の制御が容易になる。また、アクリル系重合体の側鎖にエーテル結合を導入したことにより、そのエーテル結合が主鎖の光劣化を抑制させていると推察される。
【００２６】
また、本発明のペリクル用粘着剤の第三の側面は、エーテル結合を含む側鎖を有するアクリル系重合体を母材とすることである。アクリル系重合体の側鎖にエーテル結合を含ませることで、露光原版からペリクルを剥離した際、該露光原版上に残る粘着剤層の剥離残渣を少なくすることができる。アクリル系重合体へのエーテル結合の導入により、アクリル系重合体の親水性の制御が容易になる。また、アクリル系重合体の側鎖にエーテル結合を導入したことにより、主鎖の光劣化を抑制することができると推察される。
【００２７】
また、本発明のペリクル用粘着剤の第四の側面は、露光光線の照射による分解性が主鎖よりも高い側鎖を有するアクリル系重合体を母材とすることである。アクリル系重合体の側鎖の露光光線照射による分解性を主鎖よりも高くすることで、露光原版からペリクルを剥離した際、該露光原版上に残る粘着剤層の剥離残渣を少なくすることができる。側鎖の露光光線に対する分解性を主鎖の露光光線に対する分解性よりも高くすることによって、側鎖の分解が主鎖の分解よりも実質的に先行し、剥離残渣を少なくすることができると推察される。側鎖の分解は粘着剤の劣化に対する影響が小さく、分解が進んだとしても粘着剤の凝集力により剥離時に剥離残渣として残りにくいと考えられる。一方、主鎖の光劣化が進むと主鎖の低分子化が進み、低分子化した粘着剤が残渣として基板に残ると考えられる。ここで、分解性の違いは、例えば、粘着剤の露光光線の照射前後について、ＩＲ、ＮＭＲ等にて主鎖の分解生成物と側鎖の分解生成物を比較することにより判断可能である。より具体的には、露光光線照射前の粘着剤のＩＲチャートと露光光線照射後の粘着剤のＩＲチャートとを比較し、スペクトル強度の変化を観察することで確認できる。確認する波数としては、例えば、１１２５ｃｍ−１のＣ−Ｏ−Ｃ（メトキシ基）、１１６０ｃｍ−１のＣ−Ｏ−Ｃ（エーテル基）、１７２７ｃｍ−１のＣ＝Ｏ（エステル基）等が挙げられる。
【００２８】
また、本発明のペリクル用粘着剤の第五の側面は、露光光線の照射により選択的に劣化する側鎖を有するアクリル系重合体を母材とすることである。アクリル系重合体の側鎖が露光光線の照射により選択的に劣化することにより、露光原版からペリクルを剥離した際、該露光原版上に残る粘着剤層の剥離残渣を少なくすることができる。露光光線の照射により選択的に側鎖が劣化することによって、側鎖の分解が主鎖の分解よりも実質的に先行し、剥離残渣を少なくすることができると推察される。側鎖の分解は粘着剤の劣化に対する影響が比較的小さく、分解が進んだとしても粘着剤の凝集力により剥離時に剥離残渣として残りにくいと考えられる。一方、主鎖の光劣化が進むと主鎖の低分子化が進み、低分子化した粘着剤が残渣として基板に残ると考えられる。ここで、劣化の有無は、例えば、粘着剤の露光光線の照射前後について、ＩＲ、ＮＭＲ等にて主鎖の分解生成物と側鎖の分解生成物を比較することにより判断可能である。より具体的には、露光光線照射前の粘着剤のＩＲチャートと露光光線照射後の粘着剤のＩＲチャートとを比較し、スペクトル強度の変化を観察することで確認できる。確認する波数としては、例えば、１１２５ｃｍ−１のＣ−Ｏ−Ｃ（メトキシ基）、１１６０ｃｍ−１のＣ−Ｏ−Ｃ（エーテル基）、１７２７ｃｍ−１のＣ＝Ｏ（エステル基）等が挙げられる。
なお、本発明において、「アクリル系重合体を母材とする粘着剤」とは、アクリル系重合体それ自体を含む粘着剤、又はアクリル系重合体と硬化剤等との反応生成物を含む粘着剤を意味する。
【００２９】
本発明者らは、このような粘着剤層を設けたペリクルでは、粘着剤層が露光光線による変質を抑制し、変質したとしても、マスク基板（露光原版）から剥離する際に剥離残渣を生じにくいことを見出した。
本発明において、アクリル系重合体は、例えば、（メタ）アクリル酸エステルを単量体成分とする重合体であり、必要に応じて（メタ）アクリル酸エステルと共重合可能な単量体成分を共重合することができる。（メタ）アクリル酸エステルとしては、例えば、エーテル結合を有する（メタ）アクリル酸エステル、（メタ）アクリル酸アルキルエステル、カルボキシル基又はヒドロキシル基を有する不飽和モノマー等が挙げられる。エーテル結合を有する（メタ）アクリル酸エステルを単量体成分として含むことでアクリル系重合体の側鎖にエーテル結合を導入することができる。
【００３０】
エーテル結合を有する（メタ）アクリル酸エステル（（Ａ）成分）としては、例えば、エチレンオキサイド基、プロピレンオキサイド基、ブチレンオキサイド基等のアルキレンオキサイド基を有する（メタ）アクリル酸エステルなどが挙げられる。これらの中でもエチレンオキサイド基を有する（メタ）アクリル酸エステル（エチレンオキサイド基含有（メタ）アクリレートともいう）が好ましく、例えば、２−メトキシエチル（メタ）アクリレート、２−エトキシエチル（メタ）アクリレート、２−ブトキシエチル（メタ）アクリレート、フェノキシエチレングリコール（メタ）アクリレート、メトキシジエチレングリコール（メタ）アクリレート等のメトキシポリエチレングリコール（メタ）アクリレート、エトキシジエチレングリコール（メタ）アクリレート等のエトキシポリエチレングリコール（メタ）アクリレート、ブトキシジエチレングリコール（メタ）アクリレート等のブトキシポリエチレングリコール（メタ）アクリレート、フェノキシジエチレングリコール（メタ）アクリレート等のフェノキシポリエチレングリコール（メタ）アクリレートなどが挙げられる。これらは単独で用いてもよいし、２種以上を組み合わせて用いてもよい。
【００３１】
（メタ）アクリル酸アルキルエステル（（Ｂ）成分）としては、例えば、アルキル基の炭素数が１〜１４である（メタ）アクリル酸アルキルエステル等が挙げられる。具体的には、メチル（メタ）アクリレート、エチル（メタ）アクリレート、プロピル（メタ）アクリレート、ｎ−ブチル（メタ）アクリレート、イソブチル（メタ）アクリレート、イソアミル（メタ）アクリレート、ヘキシル（メタ）アクリレート、２−エチルヘキシル（メタ）アクリレート、ｎ−オクチル（メタ）アクリレート、イソオクチル（メタ）アクリレート、イソノニル（メタ）アクリレート、ラウリル（メタ）アクリレート等が挙げられる。これらの中でもアルキル基の炭素数が４又は８である（メタ）アクリル酸アルキルエステルが粘着剤特性と剥離特性の両立の観点から好ましい。これらは単独で用いてもよいし、２種以上を組み合わせて用いてもよい。
【００３２】
カルボキシル基又はヒドロキシル基を有する不飽和モノマー（（Ｃ）成分）としては、例えば、（メタ）アクリル酸、マレイン酸、クロトン酸、イタコン酸、フマル酸等のα，β‐不飽和カルボン酸、２−ヒドロキシエチル（メタ）アクリレート、２−ヒドロキシプロピル（メタ）アクリレート、２−ヒドロキシブチル（メタ）アクリレート等のヒドロキシル基含有メタアクリレートなどが挙げられる。これらは単独で用いてもよいし、２種以上を組み合わせて用いてもよい。
【００３３】
アクリル系重合体において、（Ａ）成分が用いられる割合は、全単量体成分中、３０質量％以上であることが好ましく、３５質量％以上であることがより好ましく、３５〜９８質量％であることが特に好ましく、４０〜９５質量％であることが極めて好ましい。（Ａ）成分の割合を前記範囲にすることにより剥離残渣及び耐光性の制御が容易となる。
【００３４】
アクリル系重合体において、（Ｂ）成分が用いられる割合は、全単量体成分中、０〜７０質量％であることが好ましく、３〜５５質量％であることがより好ましい。（Ｂ）成分の割合を前記範囲にすることにより粘着性の制御が容易となる。
【００３５】
アクリル系重合体において、（Ｃ）成分が用いられる割合は、全単量体成分中、０〜１０質量％であることが好ましく、２〜８質量％であることがより好ましい。（Ｃ）成分の割合を前記範囲にすることにより剥離残渣及び硬化剤との反応による架橋度の制御が容易となる。
【００３６】
アクリル系重合体は、例えば、溶液重合、塊状重合、乳化重合、ラジカル重合等の公知の製造方法を適宜選択して製造することができる。また、得られるアクリル系重合体は、ランダム共重合体、ブロック共重合体、グラフト共重合体等いずれでもよい。
アクリル系重合体の分子量は、重量平均分子量として７０万〜２５０万の範囲内にあると、粘着剤層の凝集力、接着力が適度な大きさになり、糊残りしにくく、且つ、十分な接着力、耐荷重性を持つ粘着剤となり、好ましい。
【００３７】
上記の重量平均分子量は、ゲル浸透クロマトグラフィー（ＧＰＣ）分析によって測定される値であって、標準ポリスチレン換算値のことを意味する。ＧＰＣ分析は、テトラヒドロフラン（ＴＨＦ）を溶解液として用いて行うことができる。
なお、本実施形態において、粘着剤層の粘着剤としては、アクリル系重合体と硬化剤との反応生成物を含むことが好ましいが、柔らかさを考慮して、硬化剤と反応させないアクリル系重合体を含んでもよい。
【００３８】
硬化剤としては、通常の粘着剤として使用される硬化材であれば特に制限されないが、例えば、金属塩、金属アルコキシド、アルデヒド系化合物、非アミノ樹脂系アミノ化合物、尿素系化合物、イソシアネート系化合物、多官能性エポキシ化合物、金属キレート系化合物、メラミン系化合物、アジリジン系化合物等が挙げられる。これらの中でも、カルボキシル基又はヒドロキシル基との反応性の観点から、イソシアネート系化合物及びエポキシ化合物が好ましい。
【００３９】
イソシアネート系化合物としては、例えば、キシリレンジイソシアネート、ヘキサメチレンジイソシアネート、トリレンジイソシアネート、これらの多量体、誘導体、重合物等が挙げられる。これらは単独で用いてもよいし、２種以上を組み合わせて用いてもよい。
【００４０】
エポキシ化合物としては、例えば、分子中に２個以上のエポキシ基を有する化合物が挙げられ、具体的には、エチレングリコールジグリシジルエーテル、ポリエチレングリコールジグリシジルエーテル、グリセリンジグリシジルエーテル、グリセリントリグリシジルエーテル、１，６−ヘキサンジオールジグリシジルエーテル、トリメチロールプロパントリグリシジルエーテル、ジグリシジルアニリン、ジアミングリシジルアミン、Ｎ，Ｎ，Ｎ'，Ｎ'−テトラグリシジル−ｍ−キシリレンジアミン、１，３−ビス（Ｎ，Ｎ'−ジアミングリシジルアミノメチル）等が挙げられる。これらは単独で用いてもよいし、２種以上を組み合わせて用いてもよい。
【００４１】
本発明において、ＳＰ値の定義は下記のとおりである。
[ＳＰ値の算出方法]
本発明においてＳＰ値は、溶解度パラメーター（solubility parameter）である。このＳＰ値は、Fedorsの算出法［「Polymer Engineering and Science」、第１４巻、第２号（１９７４）、１４８〜１５４ページ］を参照し、下記数式１により算出することで求めることができる。
【００４２】
【数１】
0006799723.tif 000002
【００４３】
上記式１中、δは溶解度パラメーター（ＳＰ値）；Δｅｉはモル蒸発エネルギー；  Δｖｉはモル体積である。また、溶解度パラメーターの単位は（ｃａｌ／ｍｏｌ）1/2である。上記式１に対して主な原子又は原子団に与えられたΔｅｉ及びΔｖｉの固有値を表１に示す。
【００４４】
【表１】
0006799723.tif 000003
【００４５】
アクリル系重合体のＳＰ値（溶解度パラメーター）は１０．０〜１２．０であることが好ましく、１０．０〜１１．０であることがより好ましい。
アクリル系重合体のＳＰ値は、例えば、アクリル系重合体中の極性基濃度を変化させることによって制御することができる。例えば、エーテル結合のような比較的に極性の高い結合を側鎖に導入するとＳＰ値は高くなる方向に進む。一方、長鎖のアルキレン結合のような比較的に極性の低い結合を側鎖に導入するとＳＰ値は低くなる方向に進む。
【００４６】
なお、本発明における粘着剤は、重量平均分子量の異なる２種以上のアクリル系重合体、単量体成分が異なる２種以上のアクリル系重合体、共重合割合が異なる２種以上のアクリル系重合体等、アクリル系重合体を２種以上組み合わせて母材としてもよい。この場合、本発明の効果が奏される範囲であれば、１種のアクリル系重合体のみのＳＰ値が範囲内であってもよいし、全てのアクリル系重合体のＳＰ値が範囲外であるがアクリル系重合体成分全体のＳＰ値が範囲内のものであってもよい。ここで、アクリル系重合体成分全体のＳＰ値とは、２種以上のアクリル系重合体それぞれのＳＰ値をそれぞれの配合量により按分して算出することになる。
【００４７】
粘着剤層１４の形状は、貼り付けるマスク基板に歪み等の影響を軽減させるために、ペリクル貼り付けによる残留応力を抑制するため、ペリクル貼り付け時に変形の少ない、平坦加工されたものが好ましい。
【００４８】
また、この粘着剤層がポリビニルエーテル化合物を含有するならば、一層好ましい結果が得られる傾向があることがわかった。具体的には、粘着剤層中にビニルエーテル基が全体に均一に拡散するように混合すると、粘着剤の剥離性がより一層向上し、目視検査では残渣がほぼ生じなくなった。ビニルエーテル基が均一に分散混合している粘着剤層は、マスク基板に貼り付けた後に１９３ｎｍの紫外線に曝されても、発塵しにくく、マスク基板上に剥離残渣を実質的に残すことなく良好に剥離する確率が有意に向上した。
【００４９】
すなわち、本発明の最良の形態では、ペリクルはマスク粘着剤層を構成する母材として、ＳＰ値が１０．０以上１２．０以下のアクリル系重合体を用い、かつポリビニルエーテル化合物を含ませることで、露光光線がマスク基板越しに照射されても表面の劣化が低減され、ペリクルをマスク基板から剥離する際に微細な粒子状の残渣も減少する。その結果、ペリクルを剥離したマスク基板の再生洗浄が良好に進行するだけでなく、洗浄条件を緩和することが可能になり、洗浄時のマスク表面へのダメージ低減にも優位性が生じる。
【００５０】
ポリビニルエーテル化合物としては、例えば、メチルビニルエ―テル、エチルビニルエ―テル、ブチルビニルエ―テル、イソブチルビニルエ―テル、（２−メトキシエチル）ビニルエーテル等のビニルエ―テル類の単独重合体、２種以上のビニルエーテル類の共重合体、これらのビニルエ―テル類と他の単量体との共重合体などが挙げられる。これらの中でも、メチルビニルエーテルを原料単量体として含むポリビニルエーテル化合物が剥離残渣の制御の観点から好ましい。
【００５１】
前記粘着剤層１４を形成する粘着剤において、前記アクリル系重合体とポリビニルエーテル化合物の配合比率は、剥離残渣低減の観点から、質量基準で90：10〜99：1、好ましくは92：8〜98：2、特に好ましくは94：6〜96：4である。
【００５２】
また、前記ペリクルの粘着剤層を形成する粘着剤には、目的に応じて本発明の特徴を妨げない範囲で、架橋剤、粘着付与剤、可塑剤、安定剤、粘度調節剤、帯電防止剤、滑剤、導電性付与剤、難燃性付与剤、熱伝導性向上剤、耐熱性向上剤、耐候性向上剤、チキソ性付与剤、酸化防止剤、抗菌剤、防カビ剤、着色剤などの他の成分を配合してもよい。
【００５３】
粘着剤層１４の形成手段としては、ペリクルフレーム１１の下端面に未硬化状態の液状又はペースト状の粘着剤を塗布した後、硬化処理を行い、粘着剤層とする。粘着剤の塗布は１回でもよいし、所定の粘着剤層の厚さを得るために、数回重ねて塗布してもよい。この場合、塗布後の粘着剤の形状が安定するまで、それぞれの回の間に適宜静置することが好ましい。また、粘着剤の粘度が高くて塗布が困難な場合には、必要に応じて適宜、有機溶剤、アルコール、水等によって希釈し、粘着剤の粘度を下げて塗布してもよい。なお、粘着剤の塗布は、例えば、ディップ、スプレー、刷毛塗り、ディスペンサー等による塗布装置などにて行うことができるが、ディスペンサーによる塗布装置を使用した塗布が、安定性、作業性、歩留り等の点から好ましい。
【００５４】
ペリクル１０の製作は、通常は、粘着剤層１４の塗布・形成を先に行い、次に、ペリクル膜１２の張設を行うが、順序を逆にしてもよい。ペリクル膜１２の張設は、例えば、ペリクルフレーム１１の上端面に接着剤を塗布し、その後ペリクルフレーム１１の加熱を行い、接着剤を硬化させ、最後にペリクルフレーム１１よりも大きなアルミニウム枠にとったペリクル膜にペリクルフレーム１１のペリクル膜貼り付け用接着剤層１３が形成された上端面を貼り付け、ペリクル膜のペリクルフレーム１１よりも外側にはみ出した余分を除去してペリクルを完成させる。
【００５５】
以上説明した構成の本発明のペリクルを用いることで、リソグラフィ使用後に露光原版からペリクルを剥離した際の粘着剤残渣量を低減することができる。また、本発明によれば、本発明のペリクルを用いることによる、ペリクルの粘着剤層の剥離残渣を低減する方法が提供される。したがって、本発明のペリクルは、前述したデリケートな位相シフト膜を有する位相シフトフォトマスクや、石英等の酸化ケイ素を主成分とする面に貼り付けられるペリクルとして有用である。
【００５６】
また、ネガタイプの露光原版、粘着剤の貼り付け部分に遮光されていない領域又は半透明遮光領域を有する露光原版、粘着剤の貼り付け部分に透明領域を有する露光原版等の露光時に露光光線が粘着剤層に照射されるような露光原版に適用されるペリクルとしても有用である。このような露光原版に用いられるペリクルの粘着剤層は、露光原版のペリクルが設けられた面とは反対側の面から、露光原版を通して露光光線に晒される。
【００５７】
本発明のペリクルは、露光装置内で、露光原版に異物が付着することを抑制するための保護部材としてだけでなく、露光原版の保管時や、露光原版の運搬時に露光原版を保護するための保護部材としてもよい。上記のペリクルをフォトマスク等の露光原版に装着することでペリクル付露光原版を製造することができる。
【００５８】
本実施形態に係る半導体装置又は液晶表示板の製造方法は、上記のペリクル付露光原版によって基板（半導体ウエハ又は液晶用原板）を露光する工程を備える。例えば、半導体装置又は液晶表示板の製造工程の一つであるリソグラフィ工程において、集積回路等に対応したフォトレジストパターンを基板上に形成するために、ステッパーに上記のペリクル付露光原版を設置して露光する。これにより、仮にリソグラフィ工程において異物がペリクル上に付着したとしても、フォトレジストが塗布されたウエハ上にこれらの異物は結像しないため、異物の像による集積回路等の短絡や断線等を防ぐことができる。よって、ペリクル付露光原版の使用により、リソグラフィ工程における歩留まりを向上させることができる。
【００５９】
一般的に所望の回数のリソグラフィ工程を経た時、異物やヘイズが発生した時、ペリクル膜がダメージを受けた時に露光原版からペリクルを剥離して露光原版の再生洗浄を行う場合がある。本発明のペリクルを用いることにより、粘着剤層の剥離残渣が生じやすい酸化ケイ素を主成分とする面を有する露光原版や、従来よりも露光光線が粘着剤層に照射されるネガタイプの露光原版や、従来よりも露光光線が粘着剤層に照射される粘着剤の貼り付け部分に遮光されていない領域又は半透明遮光領域を有する露光原版や、従来よりも露光光線が粘着剤層に照射される粘着剤の貼り付け部分に透明領域を有する露光原版等の露光時に露光光線が粘着剤層に照射されるような露光原版であってもリペリクル時の剥離残渣を低減することができる。
また、本発明のペリクルを用いることにより、粘着剤層の剥離残渣が低減されることから機能水による洗浄が適用容易となり、位相シフトフォトマスクなどのデリケートな露光原版に対する洗浄性を向上することができる。また、機能水洗浄による環境負荷の低減に貢献できる。
【実施例】
【００６０】
以下に実施例により具体的に本発明を例示して説明する。なお、実施例及び比較例における「マスク」は「露光原版」の例として記載したものであり、レチクルに対しても同様に適用できることはいうまでもない。【００６１】
（実施例１）
アルミニウム合金製のペリクルフレーム（外形サイズ１４９ｍｍ×１１５ｍｍ×３．５ｍｍ、肉厚２ｍｍ、マスク貼り付け用粘着剤塗布端面側の平坦度：１５ｕｍ）を精密洗浄後、平坦度が１５ｕｍ側の端面に綜研化学社製のアクリル粘着剤（製品名：ＳＫダイン ＳＮ−７０Ａ、単量体成分の９５質量％がエチレンオキサイド基含有（メタ）アクリレートであるアクリル系重合体を母材として含む、母材のＳＰ値１０．２）を塗布し、６０分室温で静置した。その後、平坦度が５ｕｍのアルミ板上にセパレータを置き、粘着剤を塗布したペリクルフレームを粘着剤が下向きになるように置いた。これにより粘着剤は平坦なセパレータに接触して平坦加工された。
次に、アルミ板上のペリクルを６０℃のオーブンに６０分入れて粘着剤を硬化させた。
そして、ペリクルをアルミ板ごと取り出した後、セパレータを剥離した。【００６２】
その後、粘着剤塗布の反対側の端面に旭硝子社製の接着剤（製品名：サイトップＣＴＸ−Ａ）を塗布した。その後１３０℃でペリクルフレームの加熱を行い、接着剤を硬化させた。
最後に、上記ペリクルフレームよりも大きなアルミニウム枠にとったペリクル膜に上記ペリクルフレームの接着剤塗布端面側を貼り付け、ペリクルフレームよりも外側の部分を除去し、ペリクルを完成させた。【００６３】
次に、６０２５マスク基板（６インチ）と先ほど準備したペリクルを貼付装置にセットし、貼り付け荷重５０Ｎ、荷重時間３０秒で加圧してペリクルをマスク基板に貼り付けた。【００６４】
ペリクルを貼り付けたマスク基板を２４時間室温に放置した後、マスク裏面より、ペリクル粘着剤に光線が当たるように１９３ｎｍの紫外線ランプを用いて紫外線を１０ｍＪ／ｃｍ２照射した。
紫外線照射後１時間室温で放置した後、ペリクルをマスク基板から０．１ｍｍ／秒のスピードで上方にゆっくり剥離した。【００６５】
剥離後のマスク基板を目視で観察したところ、ペリクルが貼り付いていた輪郭部分に粘着剤の溶質残渣と思われる薄い不透明な筋が僅かに見られる程度で、後述する比較例のものに比べ、マスク基板の表面は明らかに清浄であった。また、上記残渣は機能水（超純水に水素+アンモニアが添加されたもの）に超音波を併用した洗浄槽（機能水はオーバーフロー）に漬けて5分で除去できた。【００６６】
（実施例２）
粘着剤として、綜研化学社製のアクリル粘着剤（製品名：SN-25B、単量体成分の４０質量％がエチレンオキサイド基含有（メタ）アクリレートであるアクリル系重合体を母材として含む、母材のＳＰ値  １０．５）を使用した以外は実施例１と同じ方法と材料でペリクルを完成した。さらに実施例１と同様の条件でペリクルをマスク基板に貼り付け、かつ剥離した。【００６７】
剥離後のマスク基板を目視で観察したところ、ペリクルが貼り付いていた輪郭部分に粘着剤の溶質残渣と思われる薄い不透明な筋が僅かに見られる程度で、後述する比較例のものに比べ、マスク基板の表面は明らかに清浄であった。また、上記残渣は実施例1と同様に機能水（超純水に水素+アンモニアが添加されたもの）に超音波を併用した洗浄槽（機能水はオーバーフロー）で5分を2回実施することで除去することが出来た。【００６８】
（実施例３）
粘着剤として、ＳＫダイン ＳＮ−７０Ａ １００質量部に対してポリビニルエーテル化合物3質量部を含ませたことを除いては、実施例１と同じ方法と材料でペリクルを完成した。さらに実施例１と同様の条件でペリクルをマスク基板に貼り付け、かつ剥離した。【００６９】
剥離後のマスク基板を目視で観察したところ、ペリクルが貼り付いていた輪郭部分に粘着剤の溶媒残渣と思われる薄い光沢のある透明な筋が僅かに見られる程度で、ほとんど粘着剤の溶質残渣は確認できない清浄なマスク基板であった。その後の洗浄は、実施例1と同様の設備を使った3分の洗浄で除去可能であった。【００７０】
（比較例１）
粘着剤として、綜研化学社製のアクリル粘着剤（製品名：ＳＫダイン ＳＫ−１４２５Ｓ、エーテル結合を有する（メタ）アクリル酸エステルを単量体成分として含まないアクリル系重合体を母材として含む、母材のＳＰ値  ９．８）を使用した以外は実施例１と同じ方法と材料でペリクルを完成した。さらに実施例１と同様の条件でペリクルをマスク基板に貼り付け、かつ剥離した。【００７１】
剥離後のマスク基板を目視で観察したところ、ペリクルが貼り付いていた部分に薄い粘着剤の溶質残渣が見られた。剥離残渣の除去は実施例1と同様の設備を使って5分ｘ2回洗浄を行ったが完全に除去することが出来なかったため、前記洗浄前にポリビニルアルコールの発泡体で軽く擦る必要があった。【００７２】
（比較例２）
粘着剤として、綜研化学社製のアクリル粘着剤（製品名：ＳＫダイン ＳＫ−１４９５Ｓ、エーテル結合を有する（メタ）アクリル酸エステルを単量体成分として含まないアクリル系重合体を母材として含む、母材のＳＰ値  ９．２）を使用した以外は実施例１と同じ方法と材料でペリクルを完成した。さらに実施例１と同様の条件でペリクルをマスク基板に貼り付け、かつ剥離した。【００７３】
剥離後のマスク基板を目視で観察したところ、ペリクルが貼り付いていた部分に薄い粘着剤の溶質残渣が見られた。剥離残渣の除去は比較例1と同様に機能水による超音波洗浄だけでは除去できず、前記洗浄前にポリビニルアルコール発泡体の擦り洗浄を併用することで除去できた。【００７４】
（合成例１）
撹拌機、還流冷却器、温度計及びガス吹き込み口が取り付けられた５Ｌ容フラスコに、ブチルアクリレート ３２０ｇ、２−メトキシエチルアクリレート ５５０ｇ、アクリル酸 ８０ｇ、２−ヒドロキシエチルアクリレート ５０ｇ、酢酸エチル １５００ｇおよび重合開始剤であるアゾビスイソブチロニトリル ２ｇを仕込み、窒素ガス気流中、６８℃で８時間溶液重合を行った。 反応終了後、これに酢酸エチル ８３０ｇを加え、固形分３０％のアクリル系重合体（ＳＰ値  １０．６）の溶液を得た。得られたアクリル系重合体溶液にポリイソシアネートの溶液を添加し、撹拌混合して粘着剤を得た。【００７５】
（合成例２）
撹拌機、還流冷却器、温度計及びガス吹き込み口が取り付けられた５Ｌ容フラスコに、２−エチルヘキシルアクリレート ４００ｇ、２−エトキシエチルアクリレート ５００ｇ、アクリル酸 １００ｇ、酢酸エチル １２００ｇおよび重合開始剤であるアゾビスイソブチロニトリル ２ｇを仕込み、窒素ガス気流中、６８℃で８時間溶液重合を行った。 反応終了後、これに酢酸エチル １１３０ｇを加え、固形分３０％のアクリル系重合体（ＳＰ値  １０．１）の溶液を得た。得られたアクリル系重合体溶液にポリイソシアネートの溶液を添加し、撹拌混合して粘着剤を得た。【００７６】
（合成例３）
撹拌機、還流冷却器、温度計及びガス吹き込み口が取り付けられた５Ｌ容フラスコに、２−エチルヘキシルアクリレート ３５０ｇ、２−メトキシエチルアクリレート ５５０ｇ、メタクリル酸 ５０ｇ、２−ヒドロキシエチルメタクリレート ５０ｇ、酢酸エチル １４００ｇおよび重合開始剤であるアゾビスイソブチロニトリル ２ｇを仕込み、窒素ガス気流中、６８℃で８時間溶液重合を行った。反応終了後、これに酢酸エチル ９３０ｇを加え、固形分３０％のアクリル系重合体（ＳＰ値  １０．２）の溶液を得た。得られたアクリル系重合体溶液にポリイソシアネートの溶液を添加し、撹拌混合して粘着剤を得た。【００７７】
（合成例４）
撹拌機、還流冷却器、温度計及びガス吹き込み口が取り付けられた５Ｌ容フラスコに、ブチルアクリレート ３００ｇ、２−メトキシエチルアクリレート５５０ｇ、ビロキシブチルアクリレート １００ｇ、イタコン酸 ５０ｇ、酢酸エチル１５００ｇおよび重合開始剤であるアゾビスイソブチロニトリル ２ｇを仕込み、窒素ガス気流中、６８℃で８時間溶液重合を行った。 反応終了後、これに酢酸エチル ８３０ｇを加え、固形分３０％のアクリル系重合体溶液を得た。得られたアクリル系重合体（ＳＰ値  約１０．７）の溶液にポリイソシアネートの溶液を添加し、撹拌混合して粘着剤を得た。【００７８】
（合成例５）
撹拌機、還流冷却器、温度計及びガス吹き込み口が取り付けられた５Ｌ容フラスコに、ブチルアクリレート ３００ｇ、メトキシポリエチレングリコールアクリレート ６００ｇ、アクリル酸 １００ｇ、酢酸エチル １４００ｇおよび重合開始剤であるアゾビスイソブチロニトリル ２ｇを仕込み、窒素ガス気流中、６８℃で８時間溶液重合を行った。 反応終了後、これに酢酸エチル ９３０ｇを加え、固形分３０％のアクリル系重合体（ＳＰ値  約１０）の溶液を得た。得られたアクリル系重合体溶液にポリイソシアネートの溶液を添加し、撹拌混合して粘着剤を得た。【００７９】
（実施例４〜８）
粘着剤として合成例１〜５で得られた粘着剤を各々使用した以外は実施例1と同様にしてペリクルを作製し、剥離試験を行った。その結果、いずれの粘着剤を使用したペリクルでも比較例と比較し剥離残渣が低減し、洗浄除去性が改善されていた。
【符号の説明】
【００８０】
１  露光原版
１０  ペリクル
１１  ペリクルフレーム
１２  ペリクル膜
１３  ペリクル膜貼り付け用接着剤層
１４  粘着剤層
１５  気圧調整用穴（通気口）
１６  除塵用フィルター
【要約】
【課題】リソグラフィ使用後、特にＡｒＦリソグラフィ使用後の露光原版からペリクルを剥離した際に、該露光原版上にこびりつく残渣を少なくすることができるペリクル用粘着剤、ペリクル、ペリクル付露光原版、露光原版の再生方法及び剥離残渣低減方法を提供する。
【解決手段】露光原版にペリクルを貼り付けるためのペリクル用粘着剤であって、ＳＰ値が１０．０以上１２．０以下であるアクリル系重合体を母材とするペリクル用粘着剤。
【選択図】なし【図１】
0006799723.tif 000004